【手続補正書】
【提出日】平成16年5月27日(2004.5.27)
【手続補正１】
【補正対象書類名】明細書
【補正対象項目名】特許請求の範囲
【補正方法】変更
【補正の内容】
【特許請求の範囲】
【請求項１】
式Ｉ
【化１】
1998081664.tif 000001
の置換された２−ナフトイルグアニジンまたはその医薬的に許容し得る塩。
上記式において、
置換分Ｒ１、Ｒ３、Ｒ４、 Ｒ５、Ｒ６、Ｒ７およびＲ８の少なくとも１個は、ＸＹaＷＺまたはＸ′ＹaＷＺ′〔式中、Ｘは、Ｏ、Ｓ、ＮＲ(10)またはＣＲ(11)Ｒ(12)（式中、Ｒ(10)、Ｒ(11)およびＲ(12)は、相互に独立して、Ｈ、１、２、３、４、５または６個の炭素原子を有するアルキル、１、２、３または４個の炭素原子を有するパーフルオロアルキルまたは３、４、５、６または７個の炭素原子を有するシクロアルキルである）であり；
Ｙは、１、２、３、４、５、６、７または８個のＣＨ2基を有するアルキレン（これらのＣＨ2基の１個は、Ｏ、Ｓ、ＮＲ(13)またはｏ−、ｐ−またはｍ−フェニレンによって置換されていてもよく、Ｒ(13)は、Ｈ、１、２、３、４、５または６個の炭素原子を有するアルキル、１、２、３または４個の炭素原子を有するパーフルオロアルキルまたは３、４、５または６個の炭素原子を有するシクロアルキルである）であり；
ａは、０または１であり；
Ｗは、ＣＨ2、ＳＯ2、Ｓ(＝Ｏ)(＝ＮＨ)または−Ｗが直接基ＸＹaの異種原子の後に続かない場合は−その代わりにＯまたはＮＲ(14)（式中、Ｒ(14)は、Ｈ、１、２、３、４、５または６個の炭素原子を有するアルキル、１、２、３または４個の炭素原子を有するパーフルオロアルキルまたは３、４、５または６個の炭素原子を有するシクロアルキルである）であり；
Ｚは、Ｃ(＝Ｏ)Ｒ(15)、ＳＯ2Ｒ(15)または−ＷがＯまたはＮＲ(14)でない場合は−その代わりにＮＲ(16)Ｒ(17)（式中、Ｒ(15)は、Ｎ＝Ｃ(ＮＨ2)2、ＮＲ(18)Ｒ(19)、Ｎ(ＣＨ2)bＮＲ(18)Ｒ(19)またはＯＲ(20)であり、ｂは２または３であり、Ｒ(18)およびＲ(19)は相互に独立して、Ｈ、１、２、３、４、５、６、７または８個の炭素原子を有するアルキルまたは１、２、３または４個の炭素原子を有するパーフルオロアルキルであるかまたはＲ(18)およびＲ(19)は、一緒になって４または５個のメチレン基（１個のＣＨ2基は、酸素、Ｓ、ＮＨ、Ｎ−ＣＨ3、Ｎ−ベンジルまたはＮ−（ｐ−クロロフェニル）によって置換されていてもよい）であり、そしてＲ(20)は、Ｈ、１、２、３、４、５または６個の炭素原子を有するアルキル、１、２、３または４個の炭素原子を有するパーフルオロアルキルまたは３、４、５、６または７個の炭素原子を有するシクロアルキルであり、
Ｒ(16)およびＲ(17)は、相互に独立して、Ｈ、１、２、３、４、５、６、７または８個の炭素原子を有するアルキルまたは１、２、３または４個の炭素原子を有するパーフルオロアルキルであるか、または
Ｒ(16)およびＲ(17)は、一緒になって４または５個のメチレン基(１個のＣＨ2基は、酸素、Ｓ、ＮＨ、Ｎ−ＣＨ3、Ｎ−ベンジルまたはＮ−（ｐ−クロロフェニル）により置換されていてもよい）である）であり；
Ｘ′は、Ｃ＝Ｏ、Ｃ(＝Ｏ)ＮＲ(30)、Ｃ(＝Ｏ)Ｏ、ＳＯ、ＳＯ2、ＳＯ2ＮＲ(30)、ＯＣ＝Ｏ、ＮＲ(30)Ｃ＝ＯまたはＮＲ(30)ＳＯ2（それぞれの場合におけるナフタレン環との結合は、左の原子を経て行われ、Ｒ(30)はＨ、１、２、３、４、５または６個の炭素原子を有するアルキル、１、２、３または４個の炭素原子を有するパーフルオロアルキルまたは３、４、５、６または７個の炭素原子を有するシクロアルキルである）であり；
Ｚ′は、Ｃ(＝Ｏ)Ｒ(15)、ＳＯ2Ｒ(15)、１、２、３、４、５、６、７、８または９個の炭素原子を有するＮ−含有複素環（Ｎ−含有複素環は、ＮまたはＣを経て結合しておりそして置換されていないかまたはＦ、Ｃｌ、Ｂｒ、ＣＦ3、メチル、メトキシおよびＮＲ(21)Ｒ(22)からなる群から選択された１〜３個の置換分により置換されており、
Ｒ(21)およびＲ(22)は、相互に独立して、Ｈ、１、２、３または４個の炭素原子を有するアルキルまたは１、２、３または４個の炭素原子を有するパーフルオロアルキルであり、
Ｒ(15)は、Ｎ＝Ｃ(ＮＨ2)2、ＮＲ(18)Ｒ(19）、Ｎ(ＣＨ2)bＮＲ(18)Ｒ(19)またはＯＲ(20)であり、
Ｒ(18)およびＲ(19)は、相互に独立して、Ｈ、１、２、３、４、５、６、７または８個の炭素原子を有するアルキルまたは１、２、３または４個の炭素原子を有するパーフルオロアルキルであるか、または
Ｒ(18)およびＲ(19)は、一緒になって４または５個のメチレン基（１個のＣＨ2基は酸素、Ｓ、ＮＨ、Ｎ−ＣＨ3、Ｎ−ベンジルまたはＮ−（ｐ−クロロフェニル）によって置換されていてもよい）であり、
ｂは、２または３であり、
Ｒ(20)は、Ｈ、１、２、３、４、５または６個の炭素原子を有するアルキル、１、２、３または４個の炭素原子を有するパーフルオロアルキルまたは３、４、５、６または７個の炭素原子を有するシクロアルキルである）であるか；または
Ｚ′は−ＷがＯまたはＮＲ(14)でない場合は−ＮＲ(16)Ｒ(17)（Ｒ(16)およびＲ(17)は、相互に独立して、Ｈ、１、２、３、４、５、６、７または８個の炭素原子を有するアルキルまたは１、２、３または４個の炭素原子を有するパーフルオロアルキルであるか、または
Ｒ(16)およびＲ(17)は、一緒になって４または５個のメチレン基(１個のＣＨ2基は酸素、Ｓ、ＮＨ、Ｎ−ＣＨ3、Ｎ−ベンジルまたはＮ−（ｐ−クロロフェニル）によって置換されていてもよい）である）である〕であり；
そして、上述した定義によって割り当てられない他の置換分Ｒ１、Ｒ３、Ｒ４、Ｒ５、Ｒ６、Ｒ７およびＲ８は、それぞれの場合において、相互に独立して、Ｈ、Ｆ、Ｃｌ、Ｂｒ、Ｉ、ＣＮ、ＮＯ2、ＣＦ3、Ｃ2Ｆ5またはＶpＱqＵ〔式中、Ｖは、Ｏ、Ｓ、ＳＯ、ＳＯ2、ＮＲ(60)、ＯＣ＝Ｏ、Ｃ＝Ｏ、Ｃ(＝Ｏ)ＮＲ(60)、Ｃ(＝Ｏ)ＯまたはＣＲ(66)Ｒ(67)（式中、Ｒ(60)、Ｒ(66)およびＲ(67)は、相互に独立して、Ｈ、１、２、３、４、５または６個の炭素原子を有するアルキル、１、２、３または４個の炭素原子を有するパーフルオロアルキルまたは３、４、５、６または７個の炭素原子を有するシクロアルキルである）であり；
ｐは、０または１であり；
Ｑは、１、２、３、４、５、６、７または８個のＣＨ2基を有するアルキレン（これらのＣＨ2基の１個は、Ｏ、Ｓ、ＮＲ(68)またはｏ−、ｐ−またはｍ−フェニレンによって置換されていてもよく、そしてＲ(68)は、Ｈ、１、２、３、４、５または６個の炭素原子を有するアルキル、１、２、３または４個の炭素原子を有するパーフルオロアルキルまたは３、４、５または６個の炭素原子を有するシクロアルキルである）であり；
ｑは、０または１であり；
Ｕは、Ｈ、１、２、３、４、５、６または７個の炭素原子を有するアルキル、３、４、５、６または７個の炭素原子を有するシクロアルキル、Ｃ(＝Ｏ)Ｒ(65)、ＳＯ2Ｒ(65)、ＮＲ(61)Ｒ(62)またはフェニル（フェニル基は置換されていないかまたはＦ、Ｃｌ、Ｂｒ、ＣＦ3、メチル、メトキシおよびＮＲ(63)Ｒ(64)からなる群から選択された１〜３個の置換分によって置換されており、
Ｒ(63)およびＲ(64)は相互に独立してＨ、１、２、３または４個の炭素原子を有するアルキルまたは１、２、３または４個の炭素原子を有するパーフルオロアルキルである）であり、
Ｒ(65)は、Ｎ＝Ｃ(ＮＨ2)2、ＮＲ(61)Ｒ(62)またはＯＲ(60)であり、
Ｒ(61)およびＲ(62)は、相互に独立して、Ｈ、１、２、３、４、５、６、７または８個の炭素原子を有するアルキルまたは１、２、３または４個の炭素原子を有するパーフルオロアルキルであるか、または
Ｒ(61)およびＲ(62)は、一緒になって４または５個のメチレン基(１個のＣＨ2基は、酸素、Ｓ、ＮＨ、Ｎ−ＣＨ3、Ｎ−ベンジルまたはＮ−（ｐ−クロロフェニル）によって置換されていてもよい）であるか；または
Ｕは、１、２、３、４、５、６、７、８または９個の炭素原子を有するＮ−含有複素環（Ｎ−含有複素環はＮまたはＣを経て結合しておりそして置換されていないかまたはＦ、Ｃｌ、Ｂｒ、ＣＦ3、メチル、メトキシおよびＮＲ(63)Ｒ(64)からなる群からの１〜３個の置換分によって置換されている）である〕であり；
しかし置換分Ｒ５、Ｒ６、Ｒ７およびＲ８の少なくとも１個は、水素に等しくない。
【請求項２】
置換分Ｒ１、Ｒ３、Ｒ４、Ｒ５、Ｒ６、Ｒ７およびＲ８の少なくとも１個がＸＹaＷＺまたはＸ′ＹaＷＺ′〔式中、Ｘは、Ｏ、Ｓ、ＮＲ(10)（式中、Ｒ(10)は、Ｈ、１、２、３または４個の炭素原子を有するアルキル、１または２個の炭素原子を有するパーフルオロアルキルまたは３、４、５または６個の炭素原子を有するシクロアルキルである）であり；
Ｙは、１、２、３、４または５個のＣＨ2基を有するアルキレン（これらのＣＨ2基の１個は、Ｏ、Ｓ、ＮＲ(13)またはｏ−、ｐ−またはｍ−フェニレンにより置換されていてもよく、そしてＲ(13)は、Ｈ、１、２、３または４個の炭素原子を有するアルキルまたは３、４、５または６個の炭素原子を有するシクロアルキルである）であり；
ａは、０または１であり；
Ｗは、ＣＨ2または−Ｗが直接基ＸＹaの異種原子の後に続かない場合は−その代わりにＯまたはＮＲ(14)（式中、Ｒ(14)は、Ｈ、１、２、３または４個の炭素原子を有するアルキルである）であり；
Ｚは、Ｃ(＝Ｏ)Ｒ(15)、ＳＯ2Ｒ(15)または−ＷがＯまたはＮＲ(14)でない場合は−その代わりにＮＲ(16)Ｒ(17)（式中、Ｒ(15)は、Ｎ＝Ｃ(ＮＨ2)2、ＮＲ(18)Ｒ(19)、Ｎ(ＣＨ2)bＮＲ(18)Ｒ(19)またはＯＲ(20)であり、
ｂは、２または３であり、
Ｒ(18)およびＲ(19)は、相互に独立して、Ｈまたは１、２、３、４または５個の炭素原子を有するアルキルであるか、または
Ｒ(18)およびＲ(19)は、一緒になって４または５個のメチレン基(１個のＣＨ2基は、酸素、Ｓ、ＮＨ、Ｎ−ＣＨ3またはＮ−ベンジルより置換されていてもよい）であり、
Ｒ(20)は、Ｈ、１、２、３、４、５または６個の炭素原子を有するアルキルであり、
Ｒ(16)およびＲ(17)は、相互に独立して、Ｈ、１、２、３、４または５個の炭素原子を有するアルキルまたは１または２個の炭素原子を有するパーフルオロアルキルであるか、または
Ｒ(16)およびＲ(17)は、一緒になって４または５個のメチレン基(１個のＣＨ2基は、酸素、Ｓ、ＮＨ、Ｎ−ＣＨ3、Ｎ−ベンジルまたはＮ−（ｐ−クロロフェニル）によって置換されていてもよい）である）であり；
Ｘ′は、Ｃ(＝Ｏ)ＮＲ(30)、Ｃ(＝Ｏ)Ｏ、ＳＯ2ＮＲ(30)、ＯＣ＝Ｏ、ＮＲ(30)Ｃ＝ＯまたはＮＲ(30)ＳＯ2（式中、ナフタレン環との結合は、それぞれの場合において、左の原子を経て行われ、そしてＲ(30)は、Ｈ、１、２、３または４個の炭素原子を有するアルキル、１または２個の炭素原子を有するパーフルオロアルキルまたは３、４、５または６個の炭素原子を有するシクロアルキルである）であり；
Ｚ′は、Ｃ(＝Ｏ)Ｒ(15)、ＳＯ2Ｒ(15)、１、２、３、４、５、６、７、８または９個の炭素原子を有するＮ−含有複素環（式中、Ｎ−含有複素環は、ＮまたはＣを経て結合しており置換されていないかまたはＦ、Ｃｌ、Ｂｒ、ＣＦ3、メチル、メトキシおよびＮＲ(21)Ｒ(22)からなる群から選択された１〜３個の置換分により置換されており、
Ｒ(21)およびＲ(22)は、相互に独立して、Ｈまたは１、２、３または４個の炭素原子を有するアルキルであり、
Ｒ(15)は、Ｎ＝Ｃ(ＮＨ2)2、ＮＲ(18)Ｒ(19)、Ｎ(ＣＨ2)bＮＲ(18)Ｒ(19)またはＯＲ(20)であり、
Ｒ(18)およびＲ(19)は、相互に独立して、Ｈ、１、２、３、４または５個の炭素原子を有するアルキルあるか、または
Ｒ(18)およびＲ(19)は、一緒になって４または５個のメチレン基(１個のＣＨ2基は、酸素、Ｓ、ＮＨ、Ｎ−ＣＨ3またはＮ−ベンジルにより置換されていてもよい）であり、
ｂは、２または３であり、
Ｒ(20)は、Ｈ、１、２、３、４、５または６個の炭素原子を有するアルキルである）であるか；または
Ｚ′は−ＷがＯまたはＮＲ(14)でない場合は−ＮＲ(16)Ｒ(17)（式中、Ｒ(16)およびＲ(17)は、相互に独立して、Ｈ、１、２、３、４または５個の炭素原子を有するアルキルまたは１または２個の炭素原子を有するパーフルオロアルキルであるか、または
Ｒ(16)およびＲ(17)は、一緒になって４または５個のメチレン基(１個のＣＨ2基は酸素、Ｓ、ＮＨ、Ｎ−ＣＨ3、Ｎ−ベンジルまたはＮ−（ｐ−クロロフェニル）によって置換されていてもよい）である）である〕であり；
そして上述した定義によって割り当てられない他の置換分Ｒ１、Ｒ３、Ｒ４、Ｒ５、Ｒ６、Ｒ７およびＲ８が、それぞれの場合において、相互に独立して、Ｈ、Ｆ、Ｃｌ、Ｂｒ、Ｉ、ＣＮ、ＮＯ2、ＣＦ3、Ｃ2Ｆ5またはＶpＱqＵ〔式中、Ｖは、Ｏ、Ｓ、ＳＯ2、ＮＲ(60)、ＯＣ＝Ｏ、Ｃ＝Ｏ、Ｃ(＝Ｏ)ＮＲ(60)、Ｃ(＝Ｏ)ＯまたはＣＲ(66)Ｒ(67)（式中、Ｒ(60)、Ｒ(66)およびＲ(67)は、相互に独立して、Ｈ、１、２または３個の炭素原子を有するアルキル、１または２個の炭素原子を有するパーフルオロアルキルまたは３、４、５または６個の炭素原子を有するシクロアルキルである）であり；
ｐは、０または１であり；
ｑは、０であり；
Ｕは、Ｈ、１、２、３または４個の炭素原子を有するアルキル、３、４、５または６個の炭素原子を有するシクロアルキル、Ｃ(＝Ｏ)Ｒ(65)、ＮＲ(61)Ｒ(62)またはフェニル(フェニル基は置換されていないかまたはＦ、Ｃｌ、Ｂｒ、ＣＦ3、メチル、メトキシおよびＮＲ(63)Ｒ(64)からなる群から選択された１〜３個の置換分によって置換されており、
Ｒ(63)およびＲ(64)は、相互に独立して、Ｈ、１、２、３または４個の炭素原子を有するアルキルであり、
Ｒ(65)は、Ｎ＝Ｃ(ＮＨ2)2、またはＯＲ(60)であり、
Ｒ(61)およびＲ(62)は、相互に独立して、Ｈ、１、２、３または４個の炭素原子を有するアルキルまたは１または２個の炭素原子を有するパーフルオロアルキルであるか、または
Ｒ(61)およびＲ(62)は、一緒になって４または５個のメチレン基(１個のＣＨ2基は、酸素、Ｓ、ＮＨ、Ｎ−ＣＨ3またはＮ−ベンジルによって置換されていてもよい）である）であるか；または
Ｕは、１、２、３、４、５、６、７、８または９個の炭素原子を有するＮ−含有複素環（Ｎ−含有複素環は、ＮまたはＣを経て結合しておりそして置換されていないかまたはＦ、Ｃｌ、Ｂｒ、ＣＦ3、メチル、メトキシおよびＮＲ(63)Ｒ(64)からなる群から選択された１〜３個の置換分によって置換されている)である〕であり；
しかし、置換分Ｒ５、Ｒ６、Ｒ７およびＲ８の少なくとも１個が水素に等しくない請求項１記載の式Ｉの化合物。
【請求項３】
置換分Ｒ１、Ｒ３、Ｒ４、Ｒ５、Ｒ６、Ｒ７およびＲ８の少なくとも１個がＸＹaＷＺまたはＸ′ＹaＷＺ′〔式中、Ｘは、Ｏであり；
Ｙは、１、２、３、４または５個のＣＨ2基を有するアルキレン（これらのＣＨ2基の１個は、ｏ−、ｐ−またはｍ−フェニレンによって置換されていてもよい）であり；
ａは、０または１であり；
Ｗは、ＣＨ2または−Ｗが直接基ＸＹaの異種原子の後に続かない場合は−その代わりにＯまたはＮＲ(14)（式中、Ｒ(14)はＨまたはメチルである）であり;
Ｚは、Ｃ(＝Ｏ)Ｒ(15)または−ＷがＯまたはＮＲ(14)でない場合は−その代わりにＮＲ(16)Ｒ(17)（式中、Ｒ(15)は、Ｎ＝Ｃ(ＮＨ2)2、ＮＲ(18)Ｒ(19)またはＯＲ(20)であり、
Ｒ(18)およびＲ(19)は、相互に独立してＨまたは１、２、３または４個の炭素原子を有するアルキルであるか、または
Ｒ(18)およびＲ(19)は、一緒になって４または５個のメチレン基(１個のＣＨ2基は、酸素、ＮＨ、Ｎ−ＣＨ3またはＮ−ベンジルよって置換されていてもよい）であり、
Ｒ(20)は、Ｈまたは１、２または３個の炭素原子を有するアルキルであり、
Ｒ(16)およびＲ(17)は、相互に独立して、Ｈまたは１、２、３または４個の炭素原子を有するアルキルであるか、または
Ｒ(16)およびＲ(17)は、一緒になって４または５個のメチレン基(１個のＣＨ2基は、酸素、Ｓ、ＮＨ、Ｎ−ＣＨ3、Ｎ−ベンジルまたはＮ−（ｐ−クロロフェニル）により置換されていてもよい）である）であり；
Ｘ′は、Ｃ(＝Ｏ)ＮＲ(30)、Ｃ(＝Ｏ)ＯまたはＳＯ2ＮＲ(30)（式中、それぞれの場合において、ナフタレン環との結合は、左の原子を経て行われそしてＲ(30)はＨまたはメチルである）であり；
Ｚ′は、Ｃ(＝Ｏ)Ｒ(15)、１、２、３、４、５、６、７、８または９個の炭素原子を有するＮ−含有複素環（式中、Ｎ−含有複素環はＮまたはＣを経て結合しており、
Ｒ(15)は、Ｎ＝Ｃ(ＮＨ2)2、ＮＲ(18)Ｒ(19)またはＯＲ(20)であり、
Ｒ(18)およびＲ(19)は、相互に独立して、Ｈまたは１、２、３または４個の炭素原子を有するアルキルであるか、または
Ｒ(18)およびＲ(19)は、一緒になって４または５個のメチレン基(１個のＣＨ2基は、酸素、ＮＨ、Ｎ−ＣＨ3またはＮ−ベンジルによって置換されていてもよい）であり、
Ｒ(20)はＨまたは１、２または３個の炭素原子を有するアルキルである）であるか；または
Ｚ′は、−ＷがＯまたはＮＲ(14)でない場合は−ＮＲ(16)Ｒ(17)（式中、Ｒ(16)およびＲ(17)は、相互に独立してＨまたは１、２、３または４個の炭素原子を有するアルキルであるか、または
Ｒ(16)およびＲ(17)は、一緒になって４または５個のメチレン基(１個のＣＨ2基は、酸素、Ｓ、ＮＨ、Ｎ−ＣＨ3またはＮ−ベンジルによって置換されていてもよい）である）である〕であり；
そして上述した定義によって割り当てられない他の置換分Ｒ１、Ｒ３、Ｒ４、Ｒ５、Ｒ６、Ｒ７およびＲ８は、それぞれの場合において、相互に独立して、Ｈ、Ｆ、Ｃｌ、Ｂｒ、Ｉ、ＣＦ3またはＶpＱqＵ〔式中、Ｖは、Ｏ、ＳＯ2、ＮＲ(60)、ＯＣ＝Ｏ、Ｃ(＝Ｏ)ＮＲ(60)、Ｃ(＝Ｏ)ＯまたはＣＲ(66)Ｒ(67)（式中、Ｒ(60)、Ｒ(66)およびＲ(67)は相互に独立して、Ｈまたは１、２または３個の炭素原子を有するアルキルである）であり；
ｐは、０または１であり；
ｑは、０であり；
Ｕは、Ｈ、１、２または３個の炭素原子を有するアルキル、Ｃ(＝Ｏ)Ｒ(65)、ＮＲ(61)Ｒ(62)またはフェニル（フェニルは置換されていないかまたはＦ、Ｃｌ、Ｂｒ、ＣＦ3、メチル、メトキシおよびＮＲ(63)Ｒ(64)からなる群から選択された１〜３個の置換分によって置換されており、
Ｒ(63)およびＲ(64)は相互に独立して、Ｈまたはメチルであり、
Ｒ(65)は、Ｎ＝Ｃ(ＮＨ2)2である）であるか；または
Ｕは、１、２、３、４、５、６、７、８または９個の炭素原子を有するＮ−含有複素環（Ｎ−含有複素環は、ＮまたはＣを経て結合している）である〕であり；
しかし、置換分Ｒ５、Ｒ６、Ｒ７またはＲ８の少なくとも１個は、水素に等しくない請求項１または２記載の式Ｉの化合物。
【請求項４】
式II
【化２】
1998081664.tif 000002
（式中、Ｌは、容易に求核的に置換することのできる脱離基でありそして他の置換分は、請求項１において定義した通りである）の化合物をグアニジンと反応させることからなる請求項１記載の化合物Ｉの製法。
【請求項５】
不整脈、心筋梗塞、狭心症、心臓の虚血状態、末梢および中枢神経系の虚血状態のおよび発作、末梢器官および各部の虚血状態、ショックの状態、アテローム性動脈硬化症、糖尿病後発併発症、癌、線維症疾患、前立腺過形成、または脂質代謝の疾患の治療または予防用の医薬；手術操作および器官移植において使用される医薬；または手術操作に対する移植組織の防腐および貯蔵用の医薬を製造するための請求項１記載の化合物Ｉの使用。
【請求項６】
請求項１〜３の何れかの項に記載の式Ｉの化合物の有効量を含有する医薬組成物。